【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信手段と、
前記トランスポートストリームから前記デバイス鍵を生成するための情報を取得して、受信装置内に予め保持されたデバイス鍵生成手順を適用することにより、デバイス鍵を生成するデバイス鍵生成手段と、
前記トランスポートストリームから前記暗号化されたワーク鍵を取得して、前記デバイス鍵生成手段により生成されたデバイス鍵を用いて前記暗号化されたワーク鍵を復号して、ワーク鍵を生成するワーク鍵生成手段と、
前記トランスポートストリームから前記暗号化されたスクランブル鍵を取得して、前記ワーク鍵生成手段により生成されたワーク鍵を用いて前記暗号化されたスクランブル鍵を復号して、スクランブル鍵を生成するスクランブル鍵生成手段と、
前記スクランブル鍵生成手段により生成されたスクランブル鍵を用いて、前記スクランブルされた放送信号をデスクランブルするデスクランブル手段と、
前記デバイス鍵生成手段により生成されたデバイス鍵を、デバイス鍵が更新されるごとに順次保存するデバイス鍵保存手段と、
前記デジタル放送信号を前記トランスポートストリームの形式で保存する録画手段と、
を有し、
前記録画手段により保存されたトランスポートストリームを再生する際に、前記保存されたトランスポートストリームをデスクランブルするために必要なデバイス鍵を、前記デバイス鍵生成手段が前記保存されたトランスポートストリームから生成できない場合には、前記ワーク鍵生成手段は、前記デバイス鍵保存手段に保存されているデバイス鍵を用いて、前記保存されたトランスポートストリームから取得される暗号化されたワーク鍵を復号して、ワーク鍵を生成することを特徴とする受信装置。
【請求項２】
前記録画手段により保存されたトランスポートストリームを再生する際に、前記保存されたトランスポートストリームをデスクランブルするために必要なデバイス鍵を、前記デバイス鍵生成手段が前記保存されたトランスポートストリームから生成できない場合に、前記デバイス鍵保存手段に保存されたデバイス鍵が、前記保存されたトランスポートストリームをデスクランブルするために有効なデバイス鍵であるか否かを判定する判定手段を更に有し、
前記ワーク鍵生成手段は、前記判定手段により有効であると判定されたデバイス鍵を用いて、前記保存されたトランスポートストリームから取得される暗号化されたワーク鍵を復号して、ワーク鍵を生成することを特徴とする請求項１に記載の受信装置。
【請求項３】
前記デバイス鍵保存手段は、前記デバイス鍵生成手段により生成されたデバイス鍵を保存する際に、当該デバイス鍵と前記録画手段により保存されるトランスポートストリームとの対応関係を示すテーブルを更に保存し、
前記録画手段により保存されたトランスポートストリームを再生する際に、前記保存されたトランスポートストリームをデスクランブルするために必要なデバイス鍵を、前記デバイス鍵生成手段が前記保存されたトランスポートストリームから生成できない場合には、前記ワーク鍵生成手段は、前記保存されたトランスポートストリームに対応するデバイス鍵を前記テーブルに基づいて特定し、前記特定したデバイス鍵を用いて、前記保存されたトランスポートストリームから取得される暗号化されたワーク鍵を復号して、ワーク鍵を生成することを特徴とする請求項１に記載の受信装置。
【請求項４】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信手段と、
前記トランスポートストリームから前記デバイス鍵を生成するための情報を取得して、受信装置内に予め保持されたデバイス鍵生成手順を適用することによりデバイス鍵を生成するデバイス鍵生成手段と、
前記トランスポートストリームから前記暗号化されたワーク鍵を取得して、前記デバイス鍵生成手段により生成されたデバイス鍵を用いて前記暗号化されたワーク鍵を復号して、ワーク鍵を生成するワーク鍵生成手段と、
前記トランスポートストリームから前記暗号化されたスクランブル鍵を取得して、前記ワーク鍵生成手段により生成されたワーク鍵を用いて前記暗号化されたスクランブル鍵を復号して、スクランブル鍵を生成するスクランブル鍵生成手段と、
前記スクランブル鍵生成手段により生成されたスクランブル鍵を用いて、前記スクランブルされた放送信号をデスクランブルするデスクランブル手段と、
前記受信装置内に予め保持された前記デバイス鍵生成手順が更新される際に、更新前のデバイス鍵生成手順を保存する生成手順保存手段と、
前記デジタル放送信号を前記トランスポートストリームの形式で保存する録画手段と、
を有し、
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合には、前記デバイス鍵生成手段は、前記生成手順保存手段により保存された更新前のデバイス鍵生成手順を適用して、前記保存されたトランスポートストリームからデバイス鍵を生成することを特徴とする受信装置。
【請求項５】
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合に、前記デバイス鍵生成手段が前記生成手順保存手段により保存された更新前のデバイス鍵生成手順を適用して生成されるデバイス鍵が、前記保存されたトランスポートストリームをデスクランブルするために有効なデバイス鍵であるか否かを判定する判定手段を更に有し、
前記ワーク鍵生成手段は、前記判定手段により有効であると判定されたデバイス鍵を用いて、前記保存されたトランスポートストリームから取得される暗号化されたワーク鍵を復号して、ワーク鍵を生成することを特徴とする請求項４に記載の受信装置。
【請求項６】
前記生成手順保存手段は、前記更新前のデバイス鍵生成手順を保存する際に、当該更新前のデバイス鍵生成手順と前記録画手段により保存されるトランスポートストリームとの対応関係を示すテーブルを更に保存し、
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合には、前記デバイス鍵生成手段は、前記保存されたトランスポートストリームに対応する更新前のデバイス鍵生成手順を前記テーブルに基づいて特定し、前記特定した更新前のデバイス鍵生成手順を適用することによりデバイス鍵を生成することを特徴とする請求項４に記載の受信装置。
【請求項７】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信手段と、
前記トランスポートストリームから前記デバイス鍵を生成するための情報を取得して、受信装置内に予め保持されたデバイス鍵生成手順を適用することによりデバイス鍵を生成するデバイス鍵生成手段と、
前記トランスポートストリームから前記暗号化されたワーク鍵を取得して、前記デバイス鍵生成手段により生成されたデバイス鍵を用いて前記暗号化されたワーク鍵を復号して、ワーク鍵を生成するワーク鍵生成手段と、
前記トランスポートストリームから前記暗号化されたスクランブル鍵を取得して、前記ワーク鍵生成手段により生成されたワーク鍵を用いて前記暗号化されたスクランブル鍵を復号して、スクランブル鍵を生成するスクランブル鍵生成手段と、
前記スクランブル鍵生成手段により生成されたスクランブル鍵を用いて、前記スクランブルされた放送信号をデスクランブルするデスクランブル手段と、
前記デジタル放送信号を前記トランスポートストリームの形式で保存する録画手段と、
前記デバイス鍵を生成するための情報を、デバイス鍵を生成するための情報が更新されるごとに順次保存する保存手段と、
前記デバイス鍵生成手順が更新される際に、前記保存手段により保存された前記デバイス鍵を生成するための情報を、更新前のデバイス鍵生成手順を適用して生成されるデバイス鍵と同じデバイス鍵が、更新後のデバイス鍵生成手順を適用したときに生成されるように、変換して前記保存手段に保存させる変換手段と、
を有し、
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合には、前記デバイス鍵生成手段は、前記保存手段により保存され、且つ、前記変換手段により変換された前記デバイス鍵を生成するための情報に、更新後のデバイス鍵生成手順を適用して、デバイス鍵を生成することを特徴とする受信装置。
【請求項８】
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合に、前記デバイス鍵生成手順が前記保存手段により保存され、且つ、前記変換手段により変換された前記デバイス鍵を生成するための情報に更新後のデバイス鍵生成手順を適用して生成されるデバイス鍵が、前記保存されたトランスポートストリームをデスクランブルするために有効なデバイス鍵であるか否かを判定する判定手段を更に有し、
前記ワーク鍵生成手段は、前記判定手段により有効であると判定されたデバイス鍵を用いて、前記保存されたトランスポートストリームから取得される暗号化されたワーク鍵を復号して、ワーク鍵を生成することを特徴とする請求項７に記載の受信装置。
【請求項９】
前記保存手段は、前記デバイス鍵を生成するための情報を保存する際に、当該デバイス鍵を生成するための情報と前記録画手段により保存されるトランスポートストリームとの対応関係を示すテーブルを更に保存し、
前記録画手段により保存されたトランスポートストリームを再生する際に、前記保存されたトランスポートストリームをデスクランブルするために必要なデバイス鍵を、前記デバイス鍵生成手段が更新後のデバイス鍵生成手順を適用しても前記保存されたトランスポートストリームから生成できない場合には、前記デバイス鍵生成手段は、前記保存されたトランスポートストリームに対応する、前記保存手段に保存されたデバイス鍵を生成するための情報を前記テーブルに基づいて特定し、前記特定したデバイス鍵を生成するための情報に、更新後のデバイス鍵生成手順を適用して、デバイス鍵を生成することを特徴とする請求項７に記載の受信装置。
【請求項１０】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信ステップと、
前記トランスポートストリームから前記デバイス鍵を生成するための情報を取得して、受信装置内に予め保持されたデバイス鍵生成手順を適用することにより、デバイス鍵を生成するデバイス鍵生成ステップと、
前記トランスポートストリームから前記暗号化されたワーク鍵を取得して、前記デバイス鍵生成ステップにより生成されたデバイス鍵を用いて前記暗号化されたワーク鍵を復号して、ワーク鍵を生成するワーク鍵生成ステップと、
前記トランスポートストリームから前記暗号化されたスクランブル鍵を取得して、前記ワーク鍵生成ステップにより生成されたワーク鍵を用いて前記暗号化されたスクランブル鍵を復号して、スクランブル鍵を生成するスクランブル鍵生成ステップと、
前記スクランブル鍵生成ステップにより生成されたスクランブル鍵を用いて、前記スクランブルされた放送信号をデスクランブルするデスクランブルステップと、
前記デバイス鍵生成ステップにより生成されたデバイス鍵を、デバイス鍵が更新されるごとにデバイス鍵保存手段に順次保存するデバイス鍵保存ステップと、
前記デジタル放送信号を前記トランスポートストリームの形式で保存する録画ステップと、
を有し、
前記録画ステップにより保存されたトランスポートストリームを再生する際に、前記保存されたトランスポートストリームをデスクランブルするために必要なデバイス鍵を、前記デバイス鍵生成ステップにおいて前記保存されたトランスポートストリームから生成できない場合には、前記ワーク鍵生成ステップにおいて前記デバイス鍵保存手段に保存されているデバイス鍵を用いて、前記保存されたトランスポートストリームから取得される暗号化されたワーク鍵を復号して、ワーク鍵を生成することを特徴とする受信装置の制御方法。
【請求項１１】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信ステップと、
前記トランスポートストリームから前記デバイス鍵を生成するための情報を取得して、受信装置内に予め保持されたデバイス鍵生成手順を適用することによりデバイス鍵を生成するデバイス鍵生成ステップと、
前記トランスポートストリームから前記暗号化されたワーク鍵を取得して、前記デバイス鍵生成ステップにより生成されたデバイス鍵を用いて前記暗号化されたワーク鍵を復号して、ワーク鍵を生成するワーク鍵生成ステップと、
前記トランスポートストリームから前記暗号化されたスクランブル鍵を取得して、前記ワーク鍵生成ステップにより生成されたワーク鍵を用いて前記暗号化されたスクランブル鍵を復号して、スクランブル鍵を生成するスクランブル鍵生成ステップと、
前記スクランブル鍵生成ステップにより生成されたスクランブル鍵を用いて、前記スクランブルされた放送信号をデスクランブルするデスクランブルステップと、
前記受信装置内に予め保持された前記デバイス鍵生成手順が更新される際に、更新前のデバイス鍵生成手順を保存する生成手順保存ステップと、
前記デジタル放送信号を前記トランスポートストリームの形式で保存する録画ステップと、
を有し、
前記録画ステップにより保存されたトランスポートストリームを再生する際に、前記保存されたトランスポートストリームをデスクランブルするために必要なデバイス鍵を、前記デバイス鍵生成ステップにおいて更新後のデバイス鍵生成手順を適用しても前記保存されたトランスポートストリームから生成できない場合には、前記生成手順保存ステップにより保存された更新前のデバイス鍵生成手順を適用して、前記保存されたトランスポートストリームからデバイス鍵を生成することを特徴とする受信装置の制御方法。
【請求項１２】
スクランブルされた放送信号と、デバイス鍵を生成するための情報と、暗号化されたワーク鍵と、暗号化されたスクランブル鍵とを含んだデジタル放送信号を、トランスポートストリームの形式で受信する受信ステップと、
前記トランスポートストリームから前記デバイス鍵を生成するための情報を取得して、受信装置内に予め保持されたデバイス鍵生成手順を適用することによりデバイス鍵を生成するデバイス鍵生成ステップと、
前記トランスポートストリームから前記暗号化されたワーク鍵を取得して、前記デバイス鍵生成ステップにより生成されたデバイス鍵を用いて前記暗号化されたワーク鍵を復号して、ワーク鍵を生成するワーク鍵生成ステップと、
前記トランスポートストリームから前記暗号化されたスクランブル鍵を取得して、前記ワーク鍵生成ステップにより生成されたワーク鍵を用いて前記暗号化されたスクランブル鍵を復号して、スクランブル鍵を生成するスクランブル鍵生成ステップと、
前記スクランブル鍵生成ステップにより生成されたスクランブル鍵を用いて、前記スクランブルされた放送信号をデスクランブルするデスクランブルステップと、
前記デジタル放送信号を前記トランスポートストリームの形式で保存する録画ステップと、
前記デバイス鍵を生成するための情報を、デバイス鍵を生成するための情報が更新されるごとに順次保存する保存ステップと、
前記デバイス鍵生成手順が更新される際に、前記保存ステップにより保存された前記デバイス鍵を生成するための情報を、更新前のデバイス鍵生成手順を適用して生成されるデバイス鍵と同じデバイス鍵が、更新後のデバイス鍵生成手順を適用したときに生成されるように、変換して保存させる変換ステップと、
を有し、
前記録画ステップにより保存されたトランスポートストリームを再生する際に、前記保存されたトランスポートストリームをデスクランブルするために必要なデバイス鍵を、前記デバイス鍵生成ステップにおいて更新後のデバイス鍵生成手順を適用しても前記保存されたトランスポートストリームから生成できない場合には、前記保存ステップにより保存され、且つ、前記変換ステップにより変換された前記デバイス鍵を生成するための情報に、更新後のデバイス鍵生成手順を適用して、デバイス鍵を生成することを特徴とする受信装置の制御方法。
【手続補正２】
【補正対象書類名】明細書
【補正対象項目名】００１４
【補正方法】変更
【補正の内容】
【００１４】
本発明は、デバイス鍵生成手順の更新に関わらず、スクランブルされたまま保存したトランスポートストリーム（録画済みＴＳデータ）をデスクランブルすることができる技術を提供することを例示的目的とする。
【手続補正３】
【補正対象書類名】明細書
【補正対象項目名】００１５
【補正方法】変更
【補正の内容】
【００１５】
上記目的を達成するために、本発明の一側面としての受信装置は、スクランブルされた放送信号と、デバイス鍵を生成するための情報と、暗号化されたワーク鍵と、暗号化されたスクランブル鍵とを含んだデジタル放送信号を、トランスポートストリームの形式で受信する受信手段と、前記トランスポートストリームから前記デバイス鍵を生成するための情報を取得して、受信装置内に予め保持されたデバイス鍵生成手順を適用することにより、デバイス鍵を生成するデバイス鍵生成手段と、前記トランスポートストリームから前記暗号化されたワーク鍵を取得して、前記デバイス鍵生成手段により生成されたデバイス鍵を用いて前記暗号化されたワーク鍵を復号して、ワーク鍵を生成するワーク鍵生成手段と、前記トランスポートストリームから前記暗号化されたスクランブル鍵を取得して、前記ワーク鍵生成手段により生成されたワーク鍵を用いて前記暗号化されたスクランブル鍵を復号して、スクランブル鍵を生成するスクランブル鍵生成手段と、前記スクランブル鍵生成手段により生成されたスクランブル鍵を用いて、前記スクランブルされた放送信号をデスクランブルするデスクランブル手段と、前記デバイス鍵生成手段により生成されたデバイス鍵を、デバイス鍵が更新されるごとに順次保存するデバイス鍵保存手段と、前記デジタル放送信号を前記トランスポートストリームの形式で保存する録画手段と、を有し、前記録画手段により保存されたトランスポートストリームを再生する際に、前記保存されたトランスポートストリームをデスクランブルするために必要なデバイス鍵を、前記デバイス鍵生成手段が前記保存されたトランスポートストリームから生成できない場合には、前記ワーク鍵生成手段は、前記デバイス鍵保存手段に保存されているデバイス鍵を用いて、前記保存されたトランスポートストリームから取得される暗号化されたワーク鍵を復号して、ワーク鍵を生成することを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２２
【補正方法】変更
【補正の内容】
【００２２】
本発明によれば、例えば、デバイス鍵生成手順の更新に関わらず、スクランブルされたまま保存したトランスポートストリーム（録画済みＴＳデータ）をデスクランブルする技術を提供することができる。
【手続補正１０】
【補正対象書類名】図面
【補正対象項目名】図２
【補正方法】変更
【補正の内容】
【図２】
2010118961.tif 000001
【手続補正１１】
【補正対象書類名】図面
【補正対象項目名】図５
【補正方法】変更
【補正の内容】
【図５】
2010118961.tif 000002
【手続補正１２】
【補正対象書類名】図面
【補正対象項目名】図８
【補正方法】変更
【補正の内容】
【図８】
2010118961.tif 000003